(57)【要約】【課題】  ピッキングがされ難く、防犯性の高いピンシリンダー錠を提供することを目的としている。【解決手段】  ピンシリンダー錠の施錠状態時における内筒５の鍵穴８に、内筒５に設けられた下ピン７（７ａ〜７ｆ）へ衝撃力を与えて解錠するための不正解錠用の道具Ｍを挿入して衝撃力を与えたときに、前記外筒及び内筒の２コラム以上に設けたピン穴２，６のうち少なくとも１コラム以上のピン穴２，６に設けた上ピン４又は下ピン７（７ａ〜７ｆ）には、前記不正解錠用の道具Ｍによる衝撃力を受けないか、又は衝撃力を受けても少なくとも下ピン７（７ａ〜７ｆ）を移動できないようにすることによって、内筒５を解錠方向へ回動できないようにした手段を設けたことを特徴とする。具体的には、例えば、下ピンを収納するために内筒５に設けられた複数のピン穴６…６のうち少なくとも１つのピン穴の深さを、他のピン穴６の深さと異なるように構成する。【選択図】          図１
2006077442.tif 000002
【特許請求の範囲】
【請求項１】
外筒と、該外筒に対して回動自在に嵌挿され鍵穴を有する内筒と、前記外筒及び内筒に設けられた少なくとも２コラム以上のピン穴と、前記外筒のピン穴に対して移動自在に設けられるとともにバネにより内筒側に付勢される上ピンと、前記内筒のピン穴に対して移動自在に設けられる下ピンとを有し、合鍵によって前記外筒及び内筒のピン穴に設けられた上下ピンの境界が外筒と内筒との境界線であるシェアラインと一致したときに前記内筒の回動を可能としたピンシリンダー錠において、
前記ピンシリンダー錠の施錠状態時における内筒の鍵穴に、該内筒に設けられた下ピンへ衝撃力を与えて解錠するための不正解錠用の道具を挿入して衝撃力を与えたときに、前記外筒及び内筒の２コラム以上に設けたピン穴のうち少なくとも１コラム以上のピン穴に設けた上ピン又は下ピンには、前記不正解錠用の道具による衝撃力を受けないか、又は衝撃力を受けても少なくとも下ピンが移動できないようにすることによって、内筒を解錠方向へ回動できないようにした手段を設けたことを特徴とするピンシリンダー錠。
【請求項２】
前記内筒の下ピンを収納する少なくとも１つのピン穴の深さを、内筒の他のピン穴の深さと異なる深さに形成してあることを特徴とする請求項１に記載のピンシリンダー錠。
【請求項３】
前記下ピンには鍔部を形成する一方、当該下ピンを収納する内筒のピン穴は段部を有する段付形状に形成するとともに、施錠状態時には前記下ピンの鍔部は内筒のピン穴の段部に係合し、前記下ピンの鍔部から下端部までの長さが少なくとも一つ以上の下ピンは他の下ピンの長さと異なるように構成してあることを特徴とする請求項１に記載のピンシリンダー錠。
【請求項４】
前記下ピンには鍔部を形成する一方、当該下ピンを収納する内筒のピン穴は段部を有する段付形状に形成するとともに、施錠状態時には前記下ピンの鍔部は内筒のピン穴の段部に係合し、前記段部の深さが少なくとも一つ以上は他の段部の深さと異なるように形成してあることを特徴とする請求項１に記載のピンシリンダー錠。
【請求項５】
前記内筒のピン穴に設けられた少なくとも１つの下ピンの下端部は、他の下ピンの下端部とは異なる形状で、かつ不正解錠用の道具が当接しないような形状にしてある請求項１に記載のピンシリンダー錠。
【請求項６】
外筒と、該外筒に対して回動自在に嵌挿され鍵穴を有する内筒と、前記外筒及び内筒に設けられた少なくとも２コラム以上のピン穴と、前記外筒のピン穴に移動自在に設けられるとともにバネにより内筒側に付勢される上ピンと、前記内筒のピン穴に移動自在に設けられる下ピンと、少なくとも一組の前記上ピンと下ピンとの間に介設する中間ピンとからなり、合鍵によって前記外筒及び内筒のピ ン穴に設けられた上下ピンの境界と、該上下ピンの間の中間ピンと下ピンとの境界とが前記外筒と内筒との境界線であるシェアラインと一致したときに前記内筒の回動を可能としたピンシリンダー錠において、
前記上ピンと下ピンとの間に介設する中間ピンは、施錠状態時においては、前記中間ピンの上部が外筒と内筒との境界線であるシェアラインと略一致するとともに、不正解錠用
の道具により内筒に回動力が作用した時に、前記中間ピンの上端部が外筒のピン穴の周縁 部に係合して中間ピンおよび下ピンが外筒のピン穴への移動が不可能となるように構成してあることを特徴とするピンシリンダー錠。
【請求項７】
前記中間ピンの上部と上ピンの下部との当接部には、係合凹部と、該係合凹部に係合する係合凸部を形成してなり、前記係合凹部と係合凸部とは、該係合凹部と係合凸部とが係合した状態で前記内筒が施錠状態を保持しつつ若干の回動を許容する嵌め合いとしてなることを特徴とする請求項６に記載のピンシリンダー錠。 
【発明の詳細な説明】
【技術分野】
【０００１】
本発明は、ピッキングを防止できるピンシリンダー錠に関する。
【０００２】
なお、ピッキングとは、内筒に回転力を与えながら、特殊な不正解錠用の道具で下ピンを押し上げて、上ピンと下ピンの境界線を内筒と外筒との境界線であるシェアラインに一致させることにより、合鍵を使用することなく内筒を回転させて不正に解錠することを言う。
【背景技術】
【０００３】
従来、この種のピンシリンダー錠は、特許文献１〜特許文献３に示すように、内筒と外筒との間に内筒の回動を施錠状態で阻止するピンを設けてなるものが知られている。このピンシリンダー錠の一般的なものを図２９〜図３５に示している。図２９は施錠状態の縦断面図、図３０は図２９のＧ−Ｇ断面図、図３１は図２９の施錠状態で合鍵を鍵穴に挿入して解錠状態とした縦断面図、図３２は図２９の施錠状態で鍵穴から不正解錠用の道具の一種である下ピンに衝撃力を与えて跳ね上げ用の杆（以下、バーという）が挿入されたピッキング初期状態を示す縦断面図、図３３は図３２のＧ１−Ｇ１断面図、図３４は図３２のピッキング初期状態から不正解錠用の道具の一種である下ピン跳ね上げ用のバーを下ピンの下部に当接させつつ、当該下ピンを介して上ピンを跳ね上げたピッキング完了直前状態を示す縦断面図、図３５は図３４のＧ２−Ｇ２断面図である。
【０００４】
上記従来のピンシリンダー錠を図２９〜図３５に沿って以下に説明する。ピン穴０２を有する外筒０１にピン穴０６と鍵穴０８とを有する内筒０５を回動自在に嵌装し、前記外筒０１のピン穴０２にバネ０３で内筒０５側へ付勢した略円柱状の上ピン０４を摺動可能に収納し、内筒０５のピン穴０６に略円柱状の下ピン０７をそれぞれ摺動可能に収納している。この上下両ピン０４、０７の境界線が外筒０１と内筒０５との境界線であるシェアラインＬに一致するときに内筒０５の回動を可能としたピンシリンダー錠である。
【０００５】
図２９，図３０に示すのは、このピンシリンダー錠の施錠状態を示しているが、鍵穴０８から奥行き方向（鍵の挿入方向）に一列状に整列して配置された複数の下ピン０７の下端部が、一直線上に位置している。これは、下ピン０７が摺動するピン穴０６の内筒０５の外周端からの深さＤが全てのピン穴０６で同一深さに統一されて加工されているためである。このように同一深さにピン穴０６が設定されると、結果として、施錠状態では下ピン０７の下端部が一直線上に位置してしまうことになる。
【０００６】
そして、このピンシリンダー錠を解錠するために鍵穴０８から合鍵Ｋをバネ０３の弾性力に抗して複数の下ピン０７を上動させつつ挿入すると、合鍵Ｋの鍵山に下ピン０７の下端部が当接し、合鍵Ｋが鍵穴０８に完全に差し込まれた時に、上下両ピン０４，０７の境界がシェアラインＬに一致して解錠状態となる（図３１参照）。
【０００７】
【特許文献１】特開２００３−２３２１４５号
【特許文献２】特開平９−１３２９７６号
【特許文献３】特開平６−２００６６６号
【発明の開示】
【発明が解決しようとする課題】
【０００８】
しかしながら、上述した従来のピンシリンダー錠では、その鍵穴０８に不正解錠用の道具が差し込まれ、複数の下ピン０７，・・・，０７の下端部０７ｂを衝撃や振動などによって跳ね上げ、この下ピン０７，・・・，０７の跳ね上げに応動して下ピン０７，・・・，０７の上端部０７ａに上ピン０４，・・・，０４の下端部０４ａが当接し、上ピン０４が外筒０１のピン穴０２内にまで移動してしまい内筒が回動する。すなわち、解錠される（ピッキングされる）といった問題がある。
【０００９】
図３２〜図３５には、このような不正解錠用の道具を使用して解錠するピッキング初期段階からピッキング完了直前までの動作を図示しており、これらの図に基づいて、上記問題を詳述する。
【００１０】
図３２，図３３において、符号Ｍは不正解錠用の道具（所謂ピックガンと呼ばれるもの）の一部を構成するバーである。このバーＭは金属性の棒状部材であって、一直線上に位置する複数の下ピン０７，・・・，０７の下端部０７ｂ，・・・，０７ｂに当接させた状態で、矢印Ｎ方向に揺動させる。
【００１１】
すると、この揺動動作によって、図３４，図３５に示すように、バーＭは、全ての下ピン０７，・・・，０７の下端部０７ｂを上方に衝撃や振動などによって跳ね上げ、この下ピン０７，・・・，０７の跳ね上げに応動して下ピン０７，・・・，０７の上端部０７ａに上ピン０４，・・・，０４の下端部０４ａが当接し、上ピンが外筒０１のピン穴０２内にまで移動する一方、下ピン０７，・・・，０７が内筒０５内に収納されてしまう結果、上ピン０４の下端部０４ａと下ピン０７の上端部０７ａとが離間し、シェアラインＬ上に上ピン０４も下ピン０７も存在しない状態なる。この瞬間を狙って外筒０１に対して内筒０５を解錠方向に回動させることによってピッキング完了となり解錠可能となる。
【００１２】
また、上述したような不正解錠用の道具としてのピックガンの他に、他の不正解錠用の道具として、例えば、上述したような複数の下ピン０７，・・・，０７の配置間隔と同一の間隔の複数の鍵山と当該鍵山と連続した把持部とを有する鍵形状のものも存在し、このものでは、鍵穴０８に前述した複数の鍵山の部分を挿入し、その挿入方向に金槌などで繰り返し打撃を加えながら前記把持部を掴んで解錠方向に回転力を加えながらピッキングを行うものも知られている。このものも、前述したピックガンと同様に、複数の前記鍵山と複数の下ピン０７，・・・，０７とが打撃の衝撃で接触し、複数の下ピン０７，・・・，０７を跳ね上げる結果、図３５のようにピッキング完了状態となり解錠される虞があった。
【００１３】
本発明は、以上のような課題を解決しようとするものであって、ピッキングがされ難く、防犯性の高いピンシリンダー錠を提供することを目的としている。
【課題を解決するための手段】
【００１４】
以上のような課題を解決するため、この発明では、少なくとも１つ以上の下ピンを跳ね上げることを困難にすることによって、上述したようなピッキングを防止するようにしている。より具体的には、この発明では以下のような構成を採用している。
【００１５】
すなわち、請求項１のピンシリンダー錠は、外筒と、該外筒に対して回動自在に嵌挿され鍵穴を有する内筒と、前記外筒及び内筒に設けられた少なくとも２コラム以上のピン穴と、前記外筒のピン穴に対して移動自在に設けられるとともにバネにより内筒側に付勢される上ピンと、前記内筒のピン穴に対して移動自在に設けられる下ピンとを有し、合鍵によって前記外筒及び内筒のピン穴に設けられた上下ピンの境界が外筒と内筒との境界線であるシェアラインと一致したときに前記内筒の回動を可能としたピンシリンダー錠において、前記ピンシリンダー錠の施錠状態時における内筒の鍵穴に、該内筒に設けられた下ピンへ衝撃力を与えて解錠するための不正解錠用の道具を挿入して衝撃力を与えたときに、前記外筒及び内筒の２コラム以上に設けたピン穴のうち少なくとも１コラム以上のピン穴に設けた上ピン又は下ピンには、前記不正解錠用の道具による衝撃力を受けないか、又は衝撃力を受けても少なくとも下ピンが移動できないようにすることによって、内筒を解錠方向へ回動できないようにした手段を設けたことを特徴とする。
【００１６】
上記「不正解錠用の道具による衝撃力を受けないか、又は衝撃力を受けても少なくとも下ピンが移動できないようにすることによって、内筒を解錠方向へ回動できないようにした手段」とは、例えば、（１）下ピンを嵌挿する内筒の複数のピン穴のうち少なくとも一つの深さを、内筒の他のピン穴の深さと異なる深さにすることによって、施錠状態で少なくとも一つの下ピンの下端部が一直線上に位置しないようにすること、（２）下ピンを嵌挿する複数の内筒のピン穴に段部を形成し、この段部を下ピンの鍔部と係合させることによって、施錠状態において、少なくとも一つの下ピンの下端部が他の下ピンの下端部と異なる高さに設定されていること、（３）内筒のピン穴に設けられる下ピンの下端部（先端部）の形状を変化させて、不正解錠用の道具に当接しないようにすること、(４)複数の下ピンと上ピンとの間の少なくも一箇所に中間ピンを介在し、当該中間ピンの上端部又は下端部の何れか一方と、上ピン又は下ピンとの境界が、施錠状態において、シェアラインと一致するとともに、不正解錠用の道具により内筒に回動力が付与された時に、該中間ピンの上端部が外筒のピン穴の周縁部に係合して中間ピンおよび下ピンが移動できないようにしてあること、（５）前記中間ピンの上部と上ピンの下部との当接部には上ピンの移動又は内筒の回動を阻止するための係合凹部と係合凸部とが設けられていること、などがこれに相当する。
【００１７】
請求項２のピンシリンダー錠は、請求項１において、前記内筒の下ピンを収納する少なくとも１つのピン穴の深さを、内筒の他のピン穴の深さと異なる深さに形成してあることを特徴とする。
【００１８】
請求項３のピンシリンダー錠は、請求項１において、前記下ピンには鍔部を形成する一方、当該下ピンを収納する内筒のピン穴は段部を有する段付形状に形成するとともに、施錠状態時には前記下ピンの鍔部は内筒のピン穴の段部に係合し、前記下ピンの鍔部から下端部までの長さが少なくとも一つ以上の下ピンは他の下ピンの長さと異なるように構成してあることを特徴とする。
【００１９】
請求項４のピンシリンダー錠は、請求項１において、前記下ピンには鍔部を形成する一方、当該下ピンを収納する内筒のピン穴は段部を有する段付形状に形成するとともに、施錠状態時には前記下ピンの鍔部は内筒のピン穴の段部に係合し、前記段部の深さが少なくとも一つ以上は他の段部の深さと異なるようにに形成してあることを特徴とする。
【００２０】
請求項５のピンシリンダー錠は、請求項１において、内筒のピン穴に設けられた少なくとも１つの下ピンの下端部は、他の下ピンの下端部とは異なる形状で、かつ不正解錠用の道具が当接しないような形状にしてあることを特徴とする。
【００２１】
請求項６のピンシリンダー錠は、外筒と、該外筒に対して回動自在に嵌挿され鍵穴を有する内筒と、前記外筒及び内筒に設けられた少なくとも２コラム以上のピン穴と、前記外筒のピン穴に移動自在に設けられるとともにバネにより内筒側に付勢される上ピンと、前記内筒のピン穴に移動自在に設けられる下ピンと、少なくとも一組の前記上ピンと下ピンとの間に介設する中間ピンとからなり、合鍵によって前記外筒及び内筒のピ ン穴に設けられた上下ピンの境界と、該上下ピンの間の中間ピンと下ピンとの境界とが前記外筒と内筒との境界線であるシェアラインと一致したときに前記内筒の回動を可能としたピンシリンダー錠において、前記上ピンと下ピンとの間に介設する中間ピンは、施錠状態時においては、前記中間ピンの上部が外筒と内筒との境界線であるシェアラインと略一致するとともに、不正解錠用の道具により内筒に回動力が作用した時に、前記中間ピンの上端部が外筒のピン穴の周縁部に係合して中間ピンおよび下ピンが外筒のピン穴への移動が不可能となるように構成してあることを特徴とする。
【００２２】
請求項７のピンシリンダー錠は、請求項６において、前記中間ピンの上部と上ピンの下部との当接部には、係合凹部と、該係合凹部に係合する係合凸部を形成してなり、前記係合凹部と係合凸部とは、該係合凹部と係合凸部とが係合した状態で前記内筒が施錠状態を保持しつつ若干の回動を許容する嵌め合いとしてなることを特徴とする。
【発明の効果】
【００２３】
請求項１の発明によれば、施錠状態時における内筒の鍵穴に不正解錠用の道具を挿入して衝撃力を与えられたときに、前記外筒及び内筒の少なくとも１コラム以上のピン穴に設けた上ピン又は下ピンには、不正解錠用の道具による衝撃力を受けないか、又は衝撃力を受けても少なくとも下ピンが移動できないようにすることによって、内筒を解錠方向へ回動できないようにした手段を設けてあるから、内筒を解錠方向へ回動して解錠操作することができないので、不正解錠を防止することができる。
【００２４】
請求項２の発明によれば、前記内筒の下ピンを収納する少なくとも１つのピン穴の深さを、内筒の他のピン穴の深さと異なる深さに形成してあるから、例えば、下ピンの下部に不正解錠用の道具で衝撃力が与えられるなどしても、全ての下ピンの上部が一挙に跳ね上げられて、解錠可能となる虞をなくすることができる。
【００２５】
請求項３の発明によれば、前記下ピンには鍔部を形成する一方、当該下ピンを収納する内筒のピン穴は段部を有する段付形状に形成するとともに、施錠状態時には前記下ピンの鍔部は内筒のピン穴の段部に係合し、前記下ピンの鍔部から下端部までの長さが少なくとも一つ以上の下ピンは他の下ピンの長さと異なるように形成してあるから、少なくとも一つの下ピンの内筒のピン穴への突出長さが他の下ピンの突出長さと異なるように設定してあるため、前記複数の下ピンの下端部が、施錠状態時において、同一ライン上に位置しない段差を生じることになり、例えば、ある特定の下ピンの下部に不正解錠用の道具などで衝撃が与えられるなどしても、全ての下ピンの上部が一挙に跳ね上げられて、解錠可能となる虞をなくすることができる。
【００２６】
請求項４の発明によれば、前記下ピンには鍔部を形成する一方、当該下ピンを収納する内筒のピン穴は段部を有する段付形状に形成するとともに、施錠状態時には前記下ピンの鍔部は内筒のピン穴の段部に係合し、前記段部の深さが少なくとも一つ以上は他の段部の深さと異なるように形成してあるから、前記内筒の複数の下ピンのうち少なくとも一つの下ピンの下端部は、施錠状態時において、同一ライン上に位置しない段差を生じることになるため、例えば、ある特定の下ピンの下部に不正解錠用の道具などで衝撃が与えられるなどしても、全ての下ピンの上部が一挙に跳ね上げられて、解錠可能となる虞をなくすることができる。
【００２７】
請求項５の発明によれば、前記内筒のピン穴に設けられた少なくとも１つの下ピンの下端部は、他の下ピンの下端部とは異なる形状で、かつ不正解錠用の道具が当接しないような形状にしてあるから、下ピンの下部に不正解錠用の道具で衝撃力が与えられるなどしても、全ての下ピンの上部が一挙に跳ね上げられて、解錠可能となる虞をなくすることができる。
【００２８】
請求項６の発明によれば、施錠状態時において、前記上ピンと下ピンとの間に介設する中間ピンの上部は、前記外筒と内筒との境界線であるシェアラインと略一致するとともに、不正解錠用の道具により内筒に回動力が作用した時に、前記中間ピンの上端部が外筒のピン穴の周縁部に係合して中間ピンおよび下ピンが外筒のピン穴への移動が不可能としてあるから、例えば、前記鍵穴に不正解錠用の道具などを挿入し、当該不正解錠用の道具で解錠方向に内筒を回動させる力を加えつつ、前記下ピンの下部に上方向の衝撃を与えても、前記中間ピンの上部が外筒に当接することにより、下ピンが跳ね上がることを前記中間ピンが阻止するように作用する。これによって、不正解錠用の道具によって、鍵穴内に突出し奥行き方向に配列される複数の下ピンの全てを一挙に跳ね上げて、全ての下ピンの上部を前記シェアラインと瞬間的に一致させ解錠可能となる虞をなくすることができる。
【００２９】
請求項７の発明によれば、前記中間ピンの上部と上ピンの下部との当接部には、係合凹部と該係合凹部に係合する係合凸部を形成し、前記係合凹部と係合凸部との嵌め合いが、当該係合凹部と係合凸部との係合状態を保持しつつ、解錠しないで若干の回動を許容するように設定されているから、前記鍵穴に不正解錠用の道具などを挿入し、当該不正解錠用の道具で解錠方向に内筒を回動させる力を加えつつ、前記下ピンの下部に上方向の衝撃を与えても、前記中間ピンの上部が外筒に当接することにより、下ピンが跳ね上がることを前記中間ピンが阻止するように作用する。これによって、不正解錠用の道具によって、鍵穴内に突出し奥行き方向に配列される複数の下ピンの全てを一挙に跳ね上げて、全ての下ピンの上部を前記シェアラインと瞬間的に一致させ解錠可能となる虞をなくすることができる。
【実施例】
【００３０】
（第一実施例）  この第一実施例では、不正解錠用の道具が鍵穴に挿入されて全ての下ピンが一挙に跳ね上げられないように、前記下ピンの下端部を直線上に位置しないように配置することでピッキングを防止しようとするものである。すなわち、内筒５の鍵穴８に交差するように内筒５に複数コラム設けたピン穴６…６の深さを変化させて、施錠状態時において下ピンの下端（先端）位置を異ならしたものである。以下、この第一実施例の具体的な構成を図１〜図９に基づいて以下に説明する。
【００３１】
図１は本発明の第一実施例の施錠状態を示す縦断面図、図２は本発明の第一実施例の施錠状態を示す正面図、図３は外筒の斜視図、図４は内筒の縦断面図、図５は内筒の平面図、図６は図５のＢ−Ｂ断面図、図７は図１のＡ−Ａ断面図、図８は内筒の鍵穴に合鍵を挿入した状態の縦断面図、図９は図１の鍵穴に不正解錠用の道具を挿入した状態を示す縦断面図である。
【００３２】
この第一実施例のピンシリンダー錠は、ピン穴２ａ，２ｂ，２ｃ，２ｄ，２ｅ，２ｆ（これら各ピン穴を総称して単にピン穴２という場合もある。）を有する外筒１に、ピン穴６ａ，６ｂ，６ｃ，６ｄ，６ｅ，６ｆ（これら各ピン穴を総称して単にピン穴６という場合もある。）と鍵穴８とを有する内筒５を回動自在に嵌装し、前記外筒１のピン穴２ａ〜２ｆにはバネ３，・・，３で内筒５側へ付勢した上ピン４ａ，４ｂ，４ｃ，４ｄ，４ｅ，４ｆ（これら各上ピンを総称して単に上ピン４という場合もある。）を、内筒５のピン穴６ｅ〜６ｆには下ピン７ａ，７ｂ，７ｃ，７ｄ，７ｅ，７ｆ（これら各下ピンを総称して単に下ピン７という場合もある。）をそれぞれ摺動可能に嵌挿している。なお、外筒１のピン穴２ａ〜２ｆはカバー１Ａで被覆されている。
【００３３】
そして、図８に示すように、正規な合鍵Ｋを内筒５の鍵穴８に差し込んで該合鍵Ｋの鍵山Ｋ１…Ｋ６と、下ピン７の下端部７ａ１，７ｂ１，７ｃ１，７ｄ１，７ｅ１，７ｆ１が当接して、下ピン７のそれぞれを異なるストロークＳで上動させる。この上動するストロークＳは、この第一実施例のピンシリンダ−錠では、それぞれのストロークＳ１，Ｓ２，Ｓ３，Ｓ４，Ｓ５，Ｓ６と全て異なるストロークとしているがこれに限定するものではない。
【００３４】
合鍵Ｋが鍵穴８に対して所定の解錠位置まで挿入されると、上下両ピン４ａ〜４ｆ，７ａ〜７ｆの境界線が、外筒１と内筒５との境界線であるシェアラインＬに一致して内筒５の回動が可能となり、この内筒５の回動によって錠本体の施解錠部材（図示せず）を作動させて施解錠できるようにしてなるものである。前記境界線は、上ピン４ａの下端部４ａ２と下ピン７ａの上端部７ａ２とが接している部位、上ピン４ｂの下端部４ｂ２と下ピン７ｂの上端部７ｂ２とが接している部位、上ピン４ｃの下端部４ｃ２と下ピン７ｃの上端部７ｃ２とが接している部位、上ピン４ｄの下端部４ｄ２と下ピン７ｄの上端部７ｄ２とが接している部位、上ピン４ｅの下端部４ｅ２と下ピン７ｅの上端部７ｅ２とが接している部位、上ピン４ｆの下端部４ｆ２と下ピン７ｆの上端部７ｆ２とが接している部位がこれに相当する。
【００３５】
上記上ピン４の１個又は複数個（本第一実施例では６個全部）は、円柱状のものであって、その胴部の上部４ａ１，４ｂ１，４ｃ１，４ｄ１，４ｅ１，４ｆ１をバネ収納凹部とし、前記バネ３を収納するようにしている。また、上ピン４（４ａ〜４ｆ）の胴部の外径とピン穴２（２ａ〜２ｆ）及びピン穴６（６ａ〜６ｆ）の内径とが略同一径としてあり、図１，図７示すように、上ピン４はピン穴２及び６間を支障なく移動することができるようにしてある。
【００３６】
一方、上記上ピン４と両ピン穴２，６で形成される筒状空間内で、図１，図７に示す施錠状態において対向して配置される下ピン７も、上記上ピン４と同径の円柱状としてあり、内筒５のピン穴６を支障なく移動することができるようにしてある。
【００３７】
そして、下ピン７ａ，７ｂ，７ｃ，７ｄ，７ｆが収納されている各ピン穴６ａ〜６ｆのうち、内筒５の外周からの深さを、ピン穴６ａ，６ｃ，６ｅ，６ｆの４つの穴の深さを寸法Ｄとし、ピン穴６ｂ，６ｄの２つの穴の深さを寸法ｄとして、寸法Ｄとｄとの関係は、Ｄ＞ｄとなるように設定している。この第一実施例では、６つのピン穴６のうち２つの穴の深さを他の深さと異なるようにしているが、全てのピン穴６の深さを異なるようにしても良いし、一つの深さだけを変更するようにしても良く適宜設計変更することが可能である。しかしながら、複数のピン穴６の深さを鍵穴８の奥行き方向に向かって交互に異なる深さとすることによって、後述するような不正解錠用の道具を鍵穴８に挿入して下ピン７の全てを一挙に跳ね上げることがより困難となり、ピッキング防止の効果が向上するのは勿論である。つまり、この第一実施例の特徴は、内筒５の下ピン７ａ，７ｂ，７ｃ，７ｄ，７ｅ，７ｆを収納するピン穴６ａ，６ｂ，６ｃ，６ｄ，６ｅ，６ｆの深さが、内筒５の外周から寸法Ｄとｄとの２種類の寸法に設定している点に特徴がある。そして、この深さは、全ての下ピン７のピン穴６で異なるように設定すれば更にピッキング防止効果が向上するが、少なくとも一つのピン穴６で他のピン穴６と異なる寸法としていればピッキング防止効果を奏するものである。
【００３８】
次に上述した第一実施例のピンシリンダー錠がピッキング防止効果を奏することを、図９に基づいて説明する。図９は、図１に対して不正解錠用の道具のバーＭを鍵穴８に挿入した状態を書き加えたものである。
【００３９】
図９に示すように、このピッキング動作の場合、先に示した従来例のピンシリンダー錠の場合には、下ピンの下端部の全てに、挿入した不正解錠用の道具のバーＭが当接するが、この第一実施例では、鍵穴８に不正解錠用の道具のバーＭを挿入し、このバーＭを下ピン７の下端部７ａ１，７ｂ１，７ｃ１，７ｄ１，７ｅ１，７ｆ１の全てに当接しようとしても、下ピン７ｂ，７ｄとには当接しない。従って、バーＭを上方Ｎ方向に揺動して、下ピン７を突き上げる衝撃力などで上ピン４を突き上げようとしても、下ピン７ｂ，７ｄにバーＭが当接していないので他の下ピン７ａ，７ｃ，７ｅ，７ｆと同時に突き上げることが困難であるし、仮に突き上げることができたとしても、全ての下ピンと上ピンとの境界線を同時のタイミングでシェアラインＬ上に位置することが困難になることから、ピッキングの虞を解消できることになるのである。
【００４０】
また、図示しないが、上述したような棒状のバーＭを挿入し上下にレバーハンドルなどの操作で機械的に揺動させる不正解錠用の道具の他に、図示しない合鍵と同じような形状を有する不正解錠用の道具が存在し、このものでは、鍵山状部と鍵溝状部とが交互に形成された振動伝達バーと当該バーと連続した把持部とを有し、この把持部に解錠方向の回転力を加えながら、前記バーが下ピン７と当接させた状態のまま、金槌などでその把持部を叩いて、前記鍵山状部の作用により下ピン７を上方に跳ね上げるピッキング動作も存在する。しかしながら、この場合でも、前述したバ−Ｍを使用したピッキングと同様に、ピン穴６の深さの差により生じる下ピン７の下部位置の段差によって、下ピン７の跳ね上げを阻止、又は、シェアラインＬに、ある瞬間に全ての下ピン７と上ピン４との境界が位置することが困難になる結果、ピッキング防止の効果をあげることができるのである。
【００４１】
（第二実施例）  図１０及び図１１に基づいて、以下に第二の実施例について説明する。図１０は、本発明の第二実施例の施錠状態を示す縦断面図、図１１は図１０のＣ−Ｃ断面図である。  前述した第一実施例では、内筒５が不正解錠用の道具による衝撃を受けたときに、例えば、外筒１及び内筒５のピン穴２，６の上下ピン４，７の境界が外筒１と内筒５との境界線であるシェアラインＬと一致しないようにする手段として、内筒５の下ピン７を収納する一つのピン穴６の深さが、他のピン穴６の深さと異なる深さに設定する構成を採用したが、この第二の実施例では、内筒１５のピン穴１６ａ〜１６ｆに収納される下ピン１７ａ，１７ｂ，１７ｃ，１７ｄ，１７ｅ，１７ｆ（これら各下ピンを総称して単に下ピン１７という場合もある。）に鍔部１７ａ３，１７ｂ３，１７ｃ３，１７ｄ３，１７ｅ３，１７ｆ３を形成する一方、下ピン１７のそれぞれを収納する複数のピン穴１６ａ，１６ｂ，１６ｃ，１６ｄ，１６ｅ，１６ｆ（これら各ピン穴を総称して単にピン穴１６という場合もある。）の夫々が段部１６ａ１，１６ｂ１，１６ｃ１，１６ｄ１，１６ｅ１，１６ｆ１を有する段付形状に形成し、前記下ピン１７の鍔部１７ａ３，１７ｂ３，１７ｃ３，１７ｄ３，１７ｅ３，１７ｆ３と前記ピン穴１６の段部１６ａ１，１６ｂ１，１６ｃ１，１６ｄ１，１６ｅ１，１６ｆ１とが係合することにより、バネ３で間接的に鍵穴８方向に付勢された施錠状態で、複数の下ピン１７の下端部１７ａ１，１７ｂ１，１７ｃ１，１７ｄ１，１７ｅ１，１７ｆ１の位置が同一ライン上に位置しないように設定してある。
【００４２】
すなわち、この第二実施例の場合、下ピン１７ａ，１７ｃ，１７ｅ，１７ｆの下端部１７ａ１，１７ｃ１，１７ｅ１，１７ｆ１が内筒１５の外周から深さ（長さ）Ｈの寸法とし、下ピン１７ｂ，１７ｄの下端部１７ｂ１，１７ｄ１は内筒１５の外周から深さ（長さ）ｈの寸法とし、Ｈ＞ｈの寸法関係になるように設定している。
【００４３】
また、内筒１５のピン穴１６の段部１６ａ１，１６ｂ１，１６ｃ１，１６ｄ１，１６ｅ１，１６ｆ１は、内筒１５の外周から全て等距離Ｐとなるように同一高さに設定するとともに、その下部（符号付さず）は、第一実施例とは異なり内筒１５の外周から全て一定の距離Ｄとなるように設定している。そして、各下ピン１７ａ〜１７ｆの鍔部１７ａ３，１７ｂ３，１７ｃ３，１７ｄ３，１７ｅ３，１７ｆ３の高さは異なるようにしてあり、従って、図１０に示すように施錠状態時においては、各下ピン１７ａ〜１７ｆは平面から見て段差があることになる。換言すれば、後者の下ピン１７ｂ，１７ｄの鍔部１７ｂ３，１７ｄ３から下端部までの長さは、下ピン１７ａ，１７ｃ，１７ｅ，１７ｆの鍔部１７ａ３，１７ｃ３，１７ｅ３，１７ｆ３から下端部までの長さより短く形成してある。
【００４４】
この第二実施例においても、施錠時において、下ピン１７（１７ａ，１７ｂ，１７ｃ，１７ｄ，１７ｅ，１７ｆ）の下端部１７ａ１，１７ｂ１，１７ｃ１，１７ｄ１，１７ｅ１，１７ｆ１の位置が同一ライン上に位置しないから、既述した第一実施例のものと同様に、ピッキングの虞を解消できる。つまり、不正解錠用の道具を鍵穴８から挿入して下ピン１７に衝撃を与えて、当該下ピン１７を介して上ピンを跳ね上げ、複数の下ピン１７の鍔部１７ａ３，１７ｂ３，１７ｃ３，１７ｅ３，１７ｆ３の上面をシェアラインＬに一致させようとしても、その下ピン１７の下端部１７ａ１，１７ｂ１，１７ｃ１，１７ｄ１，１７ｅ１，１７ｆ１が従来のように同一ライン上に位置していないので困難となるのである。
【００４５】
なお、図１０，図１１に示す図において、図１〜図９の示す符号と同一符号を付しているものは、既述した第一実施例と同様のものであるので繰り返しの説明は省略している。
【００４６】
（第三実施例）  図１２及び図１３に基づいて、以下に第三の実施例について説明する。図１２は、本発明の第三実施例の施錠状態を示す縦断面図、図１３は図１２のＤ−Ｄ断面図である。
【００４７】
前述する第二実施例では、下ピン１７の下端部が施錠状態において同一ラインに位置しないようにする手段として、下ピン１７の鍔部１７ａ３，１７ｂ３，１７ｃ３，１７ｄ３，１７ｅ３，１７ｆ３から下端部１７ａ１，１７ｂ１，１７ｃ１，１７ｄ１，１７ｅ１，１７ｆ１までの距離を非同一とすることで達成したが、この第三実施例では、前記内筒２５の複数の下ピン２７ａ，２７ｂ，２７ｃ，２７ｄ，２７ｅ，２７ｆ（これら各下ピンを総称して単に下ピン２７という場合もある。）に、鍔部２７ａ３，２７ｂ３，２７ｃ３，２７ｄ３，２７ｅ３，２７ｆ３を形成する一方、当該下ピン２７を収納する複数のピン穴２６の夫々の深さを非同一とした段部２６ａ１，２６ｂ１，２６ｃ１，２６ｄ１，２６ｅ１，２６ｆ１を形成している。
【００４８】
すなわち、複数の段部２６ａ１，２６ｂ１，２６ｃ１，２６ｄ１，２６ｅ１，２６ｆ１のうち、内筒２５の外周からのピン穴の深さが２６ａ，２６ｃ，２６ｅ，２６ｆではＰ１とし、２６ｂ，２６ｄではＰ２としてあり、Ｐ１とＰ２の関係はＰ１＞Ｐ２としている。つまり、後者の段部２６ｂ，２６ｄの深さは前者の段部２６ａ，２６ｃ，２６ｅ，２６ｆ深さより深く（長く）なるようにしてある。これによって、下ピン２７を例えば同一の下ピンを用いた場合でも、下ピン２７の下端部２７ａ１，２７ｂ１，２７ｃ１，２７ｄ１，２７ｅ１，２７ｆ１が同一ラインに位置しない構成とすることができる。従って、第二実施例の場合には、内筒１５の外周からピン穴１６の段部１６ａ１，１６ｂ１，１６ｃ１，１６ｄ１，１６ｅ１，１６ｆ１までの深さを同一深さＰとした場合には、その各ピン穴に嵌挿する下ピン１７の鍔部１７ａ３，１７ｂ３，１７ｃ３，１７ｄ３，１７ｅ３，１７ｆ３から下端部１７ａ１，１７ｂ１，１７ｃ１，１７ｄ１，１７ｅ１，１７ｆ１までの長さを非同一とする関係から少なくとも一つの下ピン１７は他の下ピン１７と異なる部品として差別化して使用する必要があるが、この第三実施例では同じ下ピン２７を採用することも可能となるのである。これによって部品の種類を少なくすることができ製造コストの低減を図ることが可能となる。
【００４９】
なお、図１２，図１３に示す図において、図１〜図１１の示す符号と同一符号を付しているものは、既述した他の実施例と同様のものであるので繰り返しの説明は省略している。
【００５０】
（第四実施例）  図１４及び図１５に基づいて、以下に第四の実施例を説明する。図１４は、本発明の第四実施例の施錠状態を示す縦断面図、図１５は図１４の施錠状態時に不正解錠用の道具を挿入した状態の縦断面図である。
【００５１】
この第四実施例のピンシリンダー錠は、第一実施例のものと比べて、内筒５の各ピン穴６（６ａ〜６ｆ）の深さ（長さ）を公知の如く同一深さ（長さ）としているとともに、各ピン穴６に収納された下ピン７（７ａ〜７ｆ）のうち、少なくとも１つの下ピン７の下端部（下部周縁部も含む）は、不正解錠用の道具に当接しないような形状にしたことに特徴を有しており、その他の構成は、第一実施例の図１〜図９のものと同様であるので、図１４及び図１５では図１〜図９のものと同一符号を付して説明を省略する。
【００５２】
すなわち、この実施例では、下ピン７ａ，７ｄ，７ｆの下端部は先の尖った円錐形状とし、下ピン７ｂ，７ｃ，７ｅの下端部は切頭形の円錐形状としたもを採用して、施錠状態時においては、図１４に示すようにしている。
【００５３】
上記構成により、図１５に示すように、施錠状態において、内筒５の鍵穴８に既述したような鍵状の不正解錠用の道具のバーＭが挿入された場合に、下ピン７ａ，７ｄ，７ｆの下端部７ａ１，７ｄ１，７ｆ１と前記バーＭの鍵山Ｍ６，Ｍ３，Ｍ１とは離間して当接できないので、バーＭに対して、上方向の衝撃力を与えた場合でだけでなく、前後方向への衝撃力を与えた場合でも、上ピン４と下ピン７の境界と外筒１と内筒５との境界線であるシェアラインＬとは一致することができず、解錠されることがない。
【００５４】
すなわち、図１５の施錠状態で、前記バーＭを上方向又は前後方向へ衝撃力を与えて移動させようとしても、該バーＭの鍵山Ｍ２と下ピン７ｅの下端部７ｅ１とは係合し、同様に、Ｍ４と７ｃ１と、またＭ５と７ｂ１とは夫々係合しているから、この不正解錠用の道具により下ピンの全部を上動するのは困難であり、また不正解錠用の道具を前後方向に移動させることにより下ピン７の全部を移動させるのは困難である。
【００５５】
また、この第四実施例のピンシリンダー錠に対して、図９や図３２〜図３５に示すようなピックガンなどの不正解錠用の道具のバーＭを内筒の鍵穴８に挿入して、外筒１側の上方へ衝撃力を与えた場合には、前述したように下ピン７ａ，７ｄ，７ｆの下端部７ａ１，７ｄ１，７ｆ１と、前記不正解錠用の道具のバーＭの鍵山Ｍ６，Ｍ３，Ｍ１とは離間して当接できないので、それらの下ピン７ａ，７ｄ，７ｆは前記バーＭによる衝撃力を受けない。そのため前記バーＭによって衝撃を与えた時、鍵山Ｍ５，Ｍ４，Ｍ２に当接する下ピンによって、そのコラムの上ピンはシェアラインＬを越えて移動するが、鍵山Ｍ６，Ｍ３，Ｍ１に当接しないコラムの上ピンは移動しないので（施錠状態が保持されたままであるので）、内筒５を解錠方向に回動することができず解錠することができない。
【００５６】
（第五実施例）  図１６〜図２４に基づいて、以下に第五の実施例を説明する。図１６は本発明の第五実施例の施錠状態を示す縦断面図、図１７は図１６のＥ−Ｅ断面図、図１８は内筒の鍵穴に合鍵を挿入した状態の縦断面図、図１９は図１８のＥ１−Ｅ１断面図、図２０は図１８のＦ１−Ｆ１断面図、図２１は図１６の鍵穴に不正解錠用の道具を挿入した状態を示す縦断面図、図２２は図１６の鍵穴に不正解錠用の道具を挿入し、不正解錠操作を行う場合の作用を示す縦断面図、図２３は図２２のＥ３−Ｅ３断面図、図２４は合鍵を抜いた状態及び施錠状態を示す図１６のＦ−Ｆ断面図である。
【００５７】
ところで、前記第一〜第三実施例では、下ピン７，１７，２７の夫々の下端部７ａ１〜７ｆ１，１７ａ１〜１７ｆ１，２７ａ１〜２７ｆ１が施錠状態において、同一ライン上に位置しないように構成することによって、下ピンが一挙に跳ね上げられて下ピンと上ピンとの境界線がシェアラインＬと瞬間的に一致しないようにして、ピッキングを防止するようにしたが、この第五実施例では、ピッキング行為が鍵穴８内に不正解錠操作のバーＭなどの何らかの部材が挿入されるとともに、この部材に回転力を作用させることに着目し、前記部材を介して内筒５に回転力が作用すると、下ピン７ａ，７ｂ，７ｃ，７ｄ，７ｅ，７ｆの上動を阻止する手段を採用することによってピッキング防止を達成する。
【００５８】
より具体的には、外筒１と、鍵穴８を有し前記外筒１に対して回動自在に嵌挿される内筒５と、外筒１及び内筒５に設けられる複数のピン穴２ａ，２ｂ，２ｃ，２ｄ，２ｅ，２ｆ（これら各ピン穴を総称して単にピン穴２という場合もある。）と、６ａ，６ｂ，６ｃ，６ｄ，６ｅ，６ｆ（これら各ピン穴を総称して単にピン穴６という場合もある。）と、外筒１の複数のピン穴２・・２の夫々に対して移動自在に設けるとともに、バネ３により内筒５側に付勢する上ピン４ａ，４ｂ，４ｃ，４ｄ，４ｅ，４ｆ（これら各上ピンを総称して単に上ピン４という場合もある。）と、内筒５の複数のピン穴６，・・，６に対して移動自在に設けられる下ピン７ａ，７ｂ，７ｃ，７ｄ，７ｅ，７ｆ（これら各下ピンを総称して単に下ピン７という場合もある。）と、少なくとも一組の上ピン４と下ピン７との間に介設する中間ピン９ｂ，９ｄ，９ｆ（これら各中間ピンを総称して単に中間ピン９という場合もある。）とからなり、合鍵によって前記外筒１及び内筒５のピン穴２，６内の中間ピン９を介在しない上下ピン４，７の境界と、中間ピン９と下ピン７との境界とが外筒１と内筒５との境界線であるシェアラインＬと一致したときに内筒５の回動を可能としたピンシリンダー錠であって、このシリンダー錠の施錠状態で、上ピン４と下ピン７との間に介設する中間ピン９は、その上部９ｂ１，９ｄ１，９ｆ１が、外筒１と内筒５との境界線であるシェアラインＬと略一致した位置に配置してあるとともに、不正解錠用の道具では解錠できないように構成してある。
【００５９】
また、前記下ピン７ｂと中間ピン９ｂとの間には、さらにマスターキー装置用のマスターピン１０を介設してある。このマスターピン１０は、当該マスターピン１０と下ピン７ｂとの境界がシェアラインＬに位置した場合に解錠可能となる従来公知のものである。
【００６０】
上述した第五実施例では、図１６に示すように、下ピン７，・・，７の下端部７ａ１，７ｂ１，７ｃ１，７ｄ１，７ｅ１，７ｆ１が一直線上に配置してあるが、これに限らず、中間ピン９を介在しない下ピン７の下端部（例えば、７ａ１，７ｃ１，７ｅ１）を、他の下ピン７の下端部の位置に比べて上に位置するように設定しても良い。このように構成すれば、上述した第一から第三実施例に示すようなピッキング防止効果を増加することが可能となる。
【００６１】
図１８〜図２０に示すように、正規な合鍵Ｋを内筒５の鍵穴８に差し込んで該合鍵Ｋの鍵山Ｋ１…鍵山Ｋ６と、下ピン７の下端部７ａ１，７ｂ１，７ｃ１，７ｄ１，７ｅ１，７ｆ１が当接して、下ピン７のそれぞれを異なるストロークで上動させる。この上動する動作は、前述した図８と同様となる。
【００６２】
そして、合鍵Ｋが鍵穴８に対して所定の解錠位置まで挿入されると、上下両ピン４，７の境界４ａ２と下ピンの上端部７ａ２，同様にして、４ｃ２と７ｃ２，４ｅ２と７ｅ２及び上ピン４と中間ピン９との境界４ｂ２と９ｂ１，４ｄ２と９ｄ１，４ｆ２と９ｆ１との境界が、内筒５との境界線であるシェアラインＬに一致するときに内筒５の回動が可能となり、この内筒５の回動によって錠本体の施解錠部材（図示せず）を作動させて施解錠できるようにしてなるものである。
【００６３】
次に上述した第五実施例のピンシリンダー錠がピッキング防止効果を奏することを、図２１〜２３に基づいて説明する。図２１は、図１６の施錠状態（パネ３により上下ピン４，７が付勢されている状態を示す）のピンシリンダー錠に対して不正解錠用の道具のバーＭを鍵穴８に挿入した状態を書き加えたものである。図２２は、バーＭによって下ピン７ａを介して、上ピン４ａをシェアラインＬより上方の解錠位置まで突き上げた状態を示している。しかしながら、このシリンダー錠の場合には、鍵穴８の挿入口に最も近い上ピン４ａと下ピン７ａは、バーＭの弾性によって突き上げられ（弾かれるような動作も含む）る可能性が高いが、これらより奥側の下ピン７ｂ〜７ｆについては、図２３に示すように、中間ピン９（９ｂ，９ｄ，９ｆ）の上部９ｂ１，９ｄ１，９ｆ１が内筒５１に対する解錠方向への回動力により、中間ピンの上端部が外筒１のピン穴２の周縁部に当接し、つまり外筒１の内周１Ｂの接点Ｏで上動しないように（図２３参照）、上動が阻止されるのである。
【００６４】
すなわち、このシリンダー錠は、シリンダー錠の施錠状態で、上ピン４と下ピン７との間に介設する中間ピン９の上部９ｂ１，９ｄ１，９ｆ１が、外筒１と内筒５との境界線としてのシェアラインＬと略一致した位置に配置しているため、内筒５に解錠しようとして回動力が加えてられると、図２３に図示するように若干の回動移動Ｒが発生し、この回動移動Ｒによって上部９ｂ１が内筒１の内周１Ｂと接点ＯでＮ１方向の上動を阻止されるようになる。したがって、いくらバーＭを上方向に弾いて、下ピン７ｂの下部７ｂ１及びマスターキピン１０の下部１０ｂ、マスターピン１０の上部１０ａ及び上ピン９ｂの下部９ｂ２、下ピン９ｂの上部９ｂ１を介して、上ピン４の下部４ｂ２に衝撃を与えて上方に弾こうとしても、接点Ｏより上に上ピン９ｂが上動しないので、その前後の下ピン７を弾くことができないから、下ピン７の跳ね上げを阻止し、ひいてはシェアラインＬに全ての下ピン７と上ピン４との境界線が位置して解錠する虞をなくすることができ、ピッキングを防止することが可能となるのである。
【００６５】
そして、図２４に示すのは、図２０の合鍵Ｋを挿入した状態から、当該合鍵Ｋを抜き取った状態、つまり施錠状態を示している。この時、上ピン４ｄの下部４ｄ２と中間ピン９ｄの上部９ｄ１との境界がシェアラインＬに一致した状態となっており、この中間ピン９ｄの上部９ｄ１と上ピン４ｄの下部４ｄ２との境界では、内筒５の回動を許容するものの、他の下ピン７ａ，上ピン４ａ、下ピン７ｃ，上ピン４ｃ、下ピン４ｄ，上ピン７ｄとの境界がシェアラインと一致していないため、図２３に示す回動距離Ｒだけの移動に制限される。また、中間ピン９ｂの上部９ｂ１と上ピン４ｂの下部４ｂ２との境界、中間ピン９ｆの上部９ｆ１と上ピン４ｆの下部４ｆ２との境界も前述した中間ピン９ｄの上部９ｄ１と上ピン４ｄの下部４ｄ２との境界と同様に、図１６の施錠状態においては、それら境界がシェアラインＬに一致し内筒５の回動を許容するが、図２３に示す回動距離Ｒだけの移動に制限されている。
【００６６】
また、図示しないが、上述したような棒状のバーＭを挿入し上下にレバーハンドルなどの操作で機械的に揺動させる不正解錠用の道具の他に、図示しない合鍵と同じような形状を有する不正解錠用の道具が存在し、このものでは、鍵山状部と鍵溝状部とが交互に形成された振動伝達バーＭと当該バーＭと連続した把持部とを有し、この把持部に解錠方向の回転力を加えながら、前記バーＭが下ピン７と当接させた状態のまま、金槌などでその把持部を叩いて、前記鍵山状部の作用により下ピン７を上方に跳ね上げるピッキング動作も存在する。しかしながら、この場合でも、前述したバ−Ｍを使用したピッキングと同様に、中間ピン９の上部が内筒１Ｂと接触して上動を阻止されるからピッキング防止の効果が期待できるのである。
【００６７】
なお、図１６〜図２４に示す図において、図１〜図１３の示す符号と同一符号を付しているものは、既述した他の実施例と同様のものであるので繰り返しの説明は省略している。
【００６８】
（第六実施例）  図２５及び図２６に基づいて以下に第六の実施例を説明する。図２５は第六実施例の断面図、図２６は図２５の鍵穴に不正解錠用の道具を挿入し、不正解錠操作を行った場合の作用を示す断面図である。
【００６９】
第六実施例は、第五実施例において、図２３に示すピッキング動作時に、中間ピン９と上ピン４との境界がシェアラインＬと一致しているため、その中間ピン９と上ピン４自体が直接的に作用して内筒５の回動を阻止できなかった構造を、その回動をも阻止可能な構造に改良したものである。
【００７０】
すななち、下ピン７の上部７ｄ２と接する中間ピン１９ｄの上部１９ｄ１に係合凹部１９ｄ３を形成する一方、当該係合凹部１９ｄ３に係合する係合凸部１４ｄ３を上ピン１４ｄの下部１４ｄ２に設けてなる構成を採用している。図２６には、ピッキング動作が行われ内筒５が若干回動移動された状態を示しているが、このように内筒５が回動すると前記係合凹部１９ｄ３と係合凸部１４ｄ３とが係合して回動が阻止されピッキング防止をより確実化することが可能となる。
【００７１】
なお、図２５〜図２６に示す図において、図１〜図２４の示す符号と同一符号を付しているものは、既述した他の実施例と同様のものであるので繰り返しの説明は省略している。
【００７２】
（第七実施例）  図２７及び図２８に基づいて以下に第七の実施例を説明する。図２７は第七実施例の断面図、図２８は図２７の鍵穴に不正解錠用の道具を挿入し、不正解錠操作を行った場合の作用を示す断面図である。
【００７３】
この第七実施例は、第六実施例の変形例である。第六実施例では、係合凹部１９ｄ３を中間ピン１９側に設け、係合凸部１４ｄを上ピン１４ｄ側に設けたが、この第七実施例では、これを逆にして、係合凹部２４ｄ３を上ピン２４ｄの下部２４ｄ２に設け、係合凸部２９ｄ３を中間ピン２９ｄの上部に設けている。この第七実施例の作用効果は第六実施例と同様に係合凹部２９ｄ３と係合凸部２４ｄ３との係合によって内筒５の解錠方向への回動が阻止することができる。この第七実施例では、下ピンを介して中間ピン２９を上方へ弾いた場合でも、中間ピン２９の係合凸部２９ｄ３が上ピン２４の係合凹部２４ｄ３に係合するため、内筒５を回動することができない利点がある。
【００７４】
なお、図２７〜図２８に示す図において、図１〜図２６の示す符号と同一符号を付しているものは、既述した他の実施例と同様のものであるので繰り返しの説明は省略している。
【産業上の利用可能性】
【００７５】
本発明のピンシリンダー錠は、建物のみならず車両や家具などの扉等に取り付けられて、ピッキングを防止できる防犯錠として採用できるものである。
【図面の簡単な説明】
【００７６】
【図１】本発明の第一実施例の施錠状態を示す縦断面図である。
【図２】本発明の第一実施例の施錠状態を示す正面図である。
【図３】外筒の斜視図である。
【図４】内筒の縦断面図である。
【図５】内筒の平面図である。
【図６】図５のＢ−Ｂ断面図である。
【図７】図１のＡ−Ａ断面図である。
【図８】内筒の鍵穴に合鍵を挿入した状態の縦断面図である。
【図９】図１の鍵穴に不正解錠用の道具を挿入した状態を示す縦断面図である。
【図１０】本発明の第二実施例の施錠状態を示す縦断面図である。
【図１１】図１０のＣ−Ｃ断面図である。
【図１２】本発明の第三実施例の施錠状態を示す縦断面図である。
【図１３】図１２のＤ−Ｄ断面図である。
【図１４】本発明の第四実施例の施錠状態を示す縦断面図である。
【図１５】図１４の施錠状態時に不正解錠用の道具を挿入した状態の縦断面図である。
【図１６】本発明の第五実施例の施錠状態を示す縦断面図である。
【図１７】図１６のＥ−Ｅ断面図である。
【図１８】内筒の鍵穴に合鍵を挿入した状態の縦断面図である。
【図１９】図１８のＥ１−Ｅ１断面図である。
【図２０】図１８のＦ１−Ｆ１断面図である。
【図２１】図１６の鍵穴に不正解錠用の道具を挿入した状態を示す縦断面図である。
【図２２】図１６の鍵穴に不正解錠用の道具を挿入し、不正解錠操作を行った場合の作用を示す縦断面図である。
【図２３】図２２のＥ３−Ｅ３断面図である。
【図２４】合鍵を抜いた状態及び施錠状態を示す図１６のＦ−Ｆ断面図である。
【図２５】本発明の第六実施例の断面図である。
【図２６】図２５の鍵穴に不正解錠用の道具を挿入し、不正解錠操作を行った場合の作用を示す縦断面図である。
【図２７】本発明の第七実施例の断面図である。
【図２８】図２７の鍵穴に不正解錠用の道具を挿入し、不正解錠操作を行った場合の作用を示す縦断面図である。
【図２９】従来のピンシリンダー錠の施錠状態の縦断面図である。
【図３０】図２９のＧ−Ｇ断面図である。
【図３１】図２９の施錠状態で合鍵を鍵穴に挿入した解錠状態とした縦断面図である。
【図３２】図２９の施錠状態で鍵穴から不正解錠用の道具の一種である下ピン跳ね上げ用のバーが挿入されたピッキング初期状態を示す縦断面図である。
【図３３】図３２のＧ１−Ｇ１断面図である。
【図３４】図３２のピッキング初期状態から不正解錠用の道具の一種である下ピン跳ね上げ用のバーを下ピンの下部に当接させつつ、当該下ピンを介して上ピンを跳ね上げたピッキング完了直前の状態を示す縦断面図である。
【図３５】図３４のＧ２−Ｇ２断面図である。
【符号の説明】
【００７７】
１                                  外筒
２（２ａ〜２ｆ）                    ピン穴
３                                  バネ
４（４ａ〜４ｆ），１４（１４ａ〜１４ｆ），２４（２４ａ〜２４ｆ）    上ピン
５，１５，２５                      内筒
６（６ａ〜６ｆ），１６（１６ａ〜１６ｆ），２６（２６ａ〜２６ｆ）    ピン穴
７（７ａ〜７ｆ），１７（１７ａ〜１７ｆ），２７（２７ａ〜２７ｆ）    下ピン
８                                  鍵穴
９，１９，２９                      中間ピン
１０                                マスターピン
Ｋ                                  合鍵
Ｌ                                  シェアライン
Ｍ                                  不正解錠用の道具のバー
【図１】
2006077442.tif 000003
【図２】
2006077442.tif 000004
【図３】
2006077442.tif 000005
【図４】
2006077442.tif 000006
【図５】
2006077442.tif 000007
【図６】
2006077442.tif 000008
【図７】
2006077442.tif 000009
【図８】
2006077442.tif 000010
【図９】
2006077442.tif 000011
【図１０】
2006077442.tif 000012
【図１１】
2006077442.tif 000013
【図１２】
2006077442.tif 000014
【図１３】
2006077442.tif 000015
【図１４】
2006077442.tif 000016
【図１５】
2006077442.tif 000017
【図１６】
2006077442.tif 000018
【図１７】
2006077442.tif 000019
【図１８】
2006077442.tif 000020
【図１９】
2006077442.tif 000021
【図２０】
2006077442.tif 000022
【図２１】
2006077442.tif 000023
【図２２】
2006077442.tif 000024
【図２３】
2006077442.tif 000025
【図２４】
2006077442.tif 000026
【図２５】
2006077442.tif 000027
【図２６】
2006077442.tif 000028
【図２７】
2006077442.tif 000029
【図２８】
2006077442.tif 000030
【図２９】
2006077442.tif 000031
【図３０】
2006077442.tif 000032
【図３１】
2006077442.tif 000033
【図３２】
2006077442.tif 000034
【図３３】
2006077442.tif 000035
【図３４】
2006077442.tif 000036
【図３５】
2006077442.tif 000037